(57)【特許請求の範囲】
【請求項１】
コンピュータを、
電子文書に電子押印するための押印位置の候補を抽出する抽出部、
前記抽出部により抽出された候補を表示して、抽出された候補のうち所望の押印位置をユーザに選択させる選択部、
前記ユーザにより選択された所望の押印位置に押印情報を電子押印する押印部、
情報を記憶する第１の記憶部、
前記押印部により電子押印された押印位置の近辺に任意の文字列が存在する場合、当該任意の文字列を前記第１の記憶部に登録する第１の登録部、
として機能させ、
前記抽出部は、
前記第１の登録部により登録された任意の文字列が前記候補の近辺に存在する場合、当該候補の優先順位を高く設定し、
前記選択部は、
前記抽出部により優先順位が高く設定された順に候補を表示させるための電子押印プログラム。
【請求項２】
前記抽出部は、
電子文書内に含まれる任意の領域の縦横幅の大きさ、又は縦横幅の比率が基準範囲内である場合に、当該任意の領域を候補として抽出する請求項１に記載の電子押印プログラム。
【請求項３】
前記抽出部は、
電子文書内に含まれる任意の文字の中心から所定範囲内が空白である場合に、当該任意の文字を候補として抽出する請求項１又は２に記載の電子押印プログラム。
【請求項４】
前記第１の登録部は、
前記任意の文字列が役職名であり、且つ、当該役職名が前記記憶部に登録されていない場合、前記任意の文字列を予想役職として前記第１の記憶部に登録する請求項１から３のいずれか一項に記載の電子押印プログラム。
【請求項５】
情報を記憶する第２の記憶部、
前記第２の記憶部に情報を登録する第２の登録部、を更に備え、
前記第２の記憶部は、
書式を判断するための書式文字列を予め記憶し、
前記第２の登録部は、
前記第２の記憶部により記憶された書式文字列が電子文書内に存在する場合、前記書式文字列の直前の文字列を結合した結合文字列、及び当該電子文書内の押印位置を前記第２の記憶部に登録し、
前記抽出部は、
前記第２の登録部により登録された結合文字列が電子文書内に存在する場合、前記第２の登録部により登録された押印位置を候補として抽出し、当該抽出した候補の優先順位を高く設定し、
前記選択部は、
前記抽出部により優先順位が高く設定された順に候補を表示させる請求項１から４のいずれか一項に記載の電子押印プログラム。
【請求項６】
電子文書に電子押印するための押印位置の候補を抽出する抽出部と、
前記抽出部により抽出された候補を表示して、抽出された候補のうち所望の押印位置をユーザに選択させる選択部と、
前記ユーザにより選択された所望の押印位置に押印情報を電子押印する押印部と、
情報を記憶する第１の記憶部と、
前記押印部により電子押印された押印位置の近辺に任意の文字列が存在する場合、当該任意の文字列を前記第１の記憶部に登録する第１の登録部と、
を備え、
前記抽出部は、
前記第１の登録部により登録された任意の文字列が前記候補の近辺に存在する場合、当該候補の優先順位を高く設定し、
前記選択部は、
前記抽出部により優先順位が高く設定された順に候補を表示させる画像編集装置。
【請求項７】
前記抽出部は、
電子文書内に含まれる任意の領域の縦横幅の大きさ、又は縦横幅の比率が基準範囲内である場合に、当該任意の領域を候補として抽出する請求項６に記載の画像編集装置。
【請求項８】
前記抽出部は、
電子文書内に含まれる任意の文字の中心から所定範囲内が空白である場合に、当該任意の文字を候補として抽出する請求項６又は７に記載の画像編集装置。
【請求項９】
前記第１の登録部は、
前記任意の文字列が役職名であり、且つ、当該役職名が前記記憶部に登録されていない場合、前記任意の文字列を予想役職として前記第１の記憶部に登録する請求項６から８のいずれか一項に記載の画像編集装置。
【請求項１０】
情報を記憶する第２の記憶部と、
前記第２の記憶部に情報を登録する第２の登録部と、を更に備え、
前記第２の記憶部は、
書式を判断するための書式文字列を予め記憶し、
前記第２の登録部は、
前記第２の記憶部により記憶された書式文字列が電子文書内に存在する場合、前記書式文字列の直前の文字列を結合した結合文字列、及び当該電子文書内の押印位置を前記第２の記憶部に登録し、
前記抽出部は、
前記第２の登録部により登録された結合文字列が電子文書内に存在する場合、前記第２の登録部により登録された押印位置を候補として抽出し、当該抽出した候補の優先順位を高く設定し、
前記選択部は、
前記抽出部により優先順位が高く設定された順に候補を表示させる請求項６から９のいずれか一項に記載の画像編集装置。
【請求項１１】
電子文書に電子押印するための押印位置の候補を抽出する抽出工程と、
前記抽出工程により抽出された押印位置の候補を表示して、抽出された候補のうち所望の押印位置をユーザに選択させる選択工程と、
前記ユーザにより選択された所望の押印位置に押印情報を電子押印する押印工程と、
前記押印工程により電子押印された押印位置の近辺に任意の文字列が存在する場合、当該任意の文字列を記憶部に登録する登録工程と、
を含み、
前記抽出工程は、
前記登録工程により登録された任意の文字列が前記候補の近辺に存在する場合、当該候補の優先順位を高く設定し、
前記選択工程は、
前記抽出工程により優先順位が高く設定された順に候補を表示させる電子押印方法。
【発明の詳細な説明】
【技術分野】
【０００１】
本発明は、電子押印プログラム、画像編集装置、及び電子押印方法に関する。
【背景技術】
【０００２】
近年、紙で保存されてきた書類等を、電子文書として保存する動きが活発となっている。このため、電子文書へ電子押印する技術への注目が高まってきている。
【０００３】
電子文書へ電子押印する技術として、押印箇所に電子印影を残す技術が知られている。これにより、ユーザは紙文書での印鑑のように視覚的に電子印影が押されているという形で押印を確認することができる。
【０００４】
また、発光ダイオードによるデータ送信を用いて印鑑形状デバイスでデジタル署名を行う技術が提案されている（例えば、特許文献１参照）。また、無線タグ内蔵の印鑑形状デバイスで、承認者のＩＤ（Identification）等の入力を省力化させる技術が提案されている（例えば、特許文献２参照）。さらに、承認印データ等がワープロ文書中の所定の位置に取り込まれる技術も提案されている（例えば、特許文献３参照）。
【特許文献１】特開平６−２４７０２２号公報
【特許文献２】特開２００４−２３５９１３号公報
【特許文献３】特開平９−１２８３８１号公報
【発明の開示】
【発明が解決しようとする課題】
【０００５】
しかしながら、上述した特許文献１、２の技術は、印鑑形状デバイスをタッチパネル等へ直接接触させて電子押印を行う技術である。このため、押印位置がずれてしまい、ユーザが所望する押印位置へ確実に電子押印を行うことができないという問題があった。
また、特許文献３の技術は、ユーザが指定した取り込み位置（押印位置）へ電子押印を行う技術である。この場合、ユーザは、電子文書の中から押印位置を指定するための手間を要するという問題があった。
【０００６】
本発明の課題は、手間を要することなく、ユーザが所望する押印位置へ確実に電子押印を行うことである。
【課題を解決するための手段】
【０００７】
上記課題を解決するため、請求項１に記載の発明の電子押印プログラムは、
コンピュータを、
電子文書に電子押印するための押印位置の候補を抽出する抽出部、
前記抽出部により抽出された候補を表示して、抽出された候補のうち所望の押印位置をユーザに選択させる選択部、
前記ユーザにより選択された所望の押印位置に押印情報を電子押印する押印部、
情報を記憶する第１の記憶部、
前記押印部により電子押印された押印位置の近辺に任意の文字列が存在する場合、当該任意の文字列を前記第１の記憶部に登録する第１の登録部、
として機能させ、
前記抽出部は、
前記第１の登録部により登録された任意の文字列が前記候補の近辺に存在する場合、当該候補の優先順位を高く設定し、
前記選択部は、
前記抽出部により優先順位が高く設定された順に候補を表示させる。
【０００８】
請求項２に記載の発明は、請求項１に記載の電子押印プログラムにおいて、
前記抽出部は、
電子文書内に含まれる任意の領域の縦横幅の大きさ、又は縦横幅の比率が基準範囲内である場合に、当該任意の領域を候補として抽出する。
【０００９】
請求項３に記載の発明は、請求項１又は２に記載の電子押印プログラムにおいて、
前記抽出部は、
電子文書内に含まれる任意の文字の中心から所定範囲内が空白である場合に、当該任意の文字を候補として抽出する。
【００１１】
請求項４に記載の発明は、請求項１から３のいずれか一項に記載の電子押印プログラムにおいて、
前記第１の登録部は、
前記任意の文字列が役職名であり、且つ、当該役職名が前記記憶部に登録されていない場合、前記任意の文字列を予想役職として前記第１の記憶部に登録する。
【００１２】
請求項５に記載の発明は、請求項１から４のいずれか一項に記載の電子押印プログラムにおいて、
情報を記憶する第２の記憶部、
前記第２の記憶部に情報を登録する第２の登録部、を更に備え、
前記第２の記憶部は、
書式を判断するための書式文字列を予め記憶し、
前記第２の登録部は、
前記第２の記憶部により記憶された書式文字列が電子文書内に存在する場合、前記書式文字列の直前の文字列を結合した結合文字列、及び当該電子文書内の押印位置を前記第２の記憶部に登録し、
前記抽出部は、
前記第２の登録部により登録された結合文字列が電子文書内に存在する場合、前記第２の登録部により登録された押印位置を候補として抽出し、当該抽出した候補の優先順位を高く設定し、
前記選択部は、
前記抽出部により優先順位が高く設定された順に候補を表示させる。
【００１３】
請求項６に記載の発明の画像編集装置は、
電子文書に電子押印するための押印位置の候補を抽出する抽出部と、
前記抽出部により抽出された候補を表示して、抽出された候補のうち所望の押印位置をユーザに選択させる選択部と、
前記ユーザにより選択された所望の押印位置に押印情報を電子押印する押印部と、
情報を記憶する第１の記憶部と、
前記押印部により電子押印された押印位置の近辺に任意の文字列が存在する場合、当該任意の文字列を前記第１の記憶部に登録する第１の登録部と、
を備え、
前記抽出部は、
前記第１の登録部により登録された任意の文字列が前記候補の近辺に存在する場合、当該候補の優先順位を高く設定し、
前記選択部は、
前記抽出部により優先順位が高く設定された順に候補を表示させる。
【００１４】
請求項７に記載の発明は、請求項６に記載の画像編集装置において、
前記抽出部は、
電子文書内に含まれる任意の領域の縦横幅の大きさ、又は縦横幅の比率が基準範囲内である場合に、当該任意の領域を候補として抽出する。
【００１５】
請求項８に記載の発明は、請求項６又は７に記載の画像編集装置において、
前記抽出部は、
電子文書内に含まれる任意の文字の中心から所定範囲内が空白である場合に、当該任意の文字を候補として抽出する。
【００１７】
請求項９に記載の発明は、請求項６から８のいずれか一項に記載の画像編集装置において、
前記第１の登録部は、
前記任意の文字列が役職名であり、且つ、当該役職名が前記記憶部に登録されていない場合、前記任意の文字列を予想役職として前記記憶部に登録する。
【００１８】
請求項１０に記載の発明は、請求項６から９のいずれか一項に記載の画像編集装置において、
情報を記憶する第２の記憶部と、
前記第２の記憶部に情報を登録する第２の登録部と、を更に備え、
前記第２の記憶部は、
書式を判断するための書式文字列を予め記憶し、
前記第２の登録部は、
前記第２の記憶部により記憶された書式文字列が電子文書内に存在する場合、前記書式文字列の直前の文字列を結合した結合文字列、及び当該電子文書内の押印位置を前記第２の記憶部に登録し、
前記抽出部は、
前記第２の登録部により登録された結合文字列が電子文書内に存在する場合、前記第２の登録部により登録された押印位置を候補として抽出し、当該抽出した候補の優先順位を高く設定し、
前記選択部は、
前記抽出部により優先順位が高く設定された順に候補を表示させる。
【００１９】
請求項１１に記載の発明の電子押印方法は、
電子文書に電子押印するための押印位置の候補を抽出する抽出工程と、
前記抽出工程により抽出された押印位置の候補を表示して、抽出された候補のうち所望の押印位置をユーザに選択させる選択工程と、
前記ユーザにより選択された所望の押印位置に押印情報を電子押印する押印工程と、
前記押印工程により電子押印された押印位置の近辺に任意の文字列が存在する場合、当該任意の文字列を記憶部に登録する登録工程と、
を含み、
前記抽出工程は、
前記登録工程により登録された任意の文字列が前記候補の近辺に存在する場合、当該候補の優先順位を高く設定し、
前記選択工程は、
前記抽出工程により優先順位が高く設定された順に候補を表示させる。
【発明の効果】
【００２０】
請求項１、６及び１１に記載の発明によれば、抽出された押印位置の候補を表示して、抽出された候補のうち所望の押印位置をユーザに選択させ、ユーザにより選択された所望の押印位置に押印情報を電子押印する。これにより、手間を要することなく、ユーザが所望する押印位置へ確実に電子押印を行うことができる。
また、押印位置の候補の近辺に任意の文字列が存在する場合、当該候補の優先順位を高く設定し、優先順位が高く設定された順に候補を表示させる。これにより、ユーザは、優先順位の高い順に候補を参照することができるので、手間を要することなく押印位置へ電子押印を行うことができる。
【００２１】
請求項２及び７に記載の発明によれば、任意の領域の縦横幅の大きさ、又は縦横幅比率が基準範囲内である場合に、任意の領域を押印位置の候補として抽出することができる。
【００２２】
請求項３及び８に記載の発明によれば、任意の文字の中心から所定範囲内が空白である場合に、任意の文字を押印位置の候補として抽出することができる。
【００２４】
請求項４及び９に記載の発明によれば、文字列が役職名であり、且つ、当該役職名が記憶部に登録されていない場合、当該役職名を予想役職として第１の記憶部に登録することができる。
【００２５】
請求項５及び１０に記載の発明によれば、第２の登録部により登録された結合文字列が電子文書内に存在する場合、第２登録部により登録された押印位置を候補として抽出し、当該抽出した候補の優先順位を高く設定し、優先順位が高く設定された順に候補を表示させる。これにより、ユーザは、優先順位の高い順に候補を参照することができるので、手間を要することなく押印位置へ電子押印を行うことができる。
【発明を実施するための最良の形態】
【００２６】
以下、添付図面を参照して本発明に係る実施の形態の一例を詳細に説明する。ただし、発明の範囲は、図示例に限定されない。
【００２７】
先ず、図１及び図２を参照して、本実施の形態の電子押印システム１の装置構成を説明する。図１に電子押印システム１の構成を示す。
【００２８】
電子押印システム１は、画像編集装置１０と、ユーザ端末２０と、画像形成装置３０と、認証装置４０と、を備えて構成される。電子押印システム１の各装置は、通信ネットワークＮを介して通信接続される。
【００２９】
電子押印システム１は、ユーザにより選択された押印位置に電子押印を行うシステムである。画像編集装置１０は、押印位置の候補を抽出し、当該抽出された押印位置の候補を表示し、ユーザにより選択された押印位置に電子押印を行う装置である。ユーザ端末２０は、画像編集装置１０から送信された電子文書を閲覧するための装置である。画像形成装置３０は、用紙のスキャン、画像形成等を行う装置である。認証装置４０は、ユーザの認証を行う装置である。通信ネットワークＮは、インターネットのネットワークである。また、通信ネットワークＮは、ＷＡＮ（Wide Area Network）、ＬＡＮ（Local Area Network）、イントラネット等を含んでもよい。
【００３０】
図２に、画像編集装置１０、ユーザ端末２０及び画像形成装置３０の内部構成を示す。図２に示すように、画像編集装置１０は、制御部１１と、表示部１２と、操作部１３と、通信部１４と、第１の記憶部、第２の記憶部としてのＨＤＤ（Hard Disk Drive）１５と、を備えて構成される。また、画像編集装置１０の各部は、バス１６を介して接続される。
【００３１】
制御部１１は、後述する電子押印プログラム１５１により、抽出部１１１、選択部１１２、押印部１１３、及び第１の登録部、第２の登録部としての登録部１１４として機能する。
【００３２】
抽出部１１１は、電子文書に電子押印するための押印位置の候補を抽出する。選択部１１２は、抽出部１１１により抽出された押印位置の候補を表示部１２に表示して、抽出された候補のうち所望の押印位置をユーザに選択させる。押印部１１３は、選択部１１２により選択された所望の押印位置に押印情報１５２を電子押印する。第１の登録部、第２の登録部としての登録部１１４は、登録情報１５３をＨＤＤ１５に登録する。押印情報１５２及び登録情報１５３については後述する。
【００３３】
表示部１２は、ＣＲＴ（Cathode Ray Tube）ディスプレイ、ＬＣＤ（Liquid Crystal Display）等により構成され、制御部１１の表示信号に従って画面表示を行う。
【００３４】
操作部１３は、カーソルキー、数字入力キー及び各種機能キーなどを備えたキーボードを含む構成とし、操作者によりキーボードで押下された押下信号を制御部１１に出力する。また、操作部１３は、マウス等のポインティングデバイスを備え、位置情報の入力が可能な構成としてもよい。
【００３５】
通信部１４は、モデム、ルータ、ネットワークカード等により構成され、通信ネットワークＮ上の各種機器との情報の送受信を介する。
【００３６】
第１の記憶部、第２の記憶部としてのＨＤＤ１５は、磁気情報記録媒体を備え、各種プログラム及び当該プログラムで使用する各種データを読み込み及び書き込み可能に記憶する。ＨＤＤ１５は、電子押印プログラム１５１と、押印情報１５２と、登録情報１５３と、を記憶する。
【００３７】
電子押印プログラム１５１は、後述する電子押印処理を行うためのプログラムである。押印情報１５２は、押印位置に電子押印する情報のことをいう。押印情報１５２は、例えば、ユーザの苗字、日付等に該当する。登録情報１５３は、電子押印する押印位置を特定するための情報のことをいう。登録情報１５３は、後述するユーザのログインＩＤ、パスワード、ユーザ名（苗字及び名前）、部門、役職、予想役職、検索対象文字列、押印履歴、書式文字列、結合文字列等に該当する。
【００３８】
図２に示すように、ユーザ端末２０は、制御部２１と、表示部２２と、操作部２３と、通信部２４と、ＨＤＤ２５と、を備えて構成される。また、ユーザ端末２０の各部は、バス２６を介して接続される。
【００３９】
制御部２１は、ＣＰＵ、ＲＡＭ等を備え、ユーザ端末２０の各部を制御する。また、表示部２２、操作部２３、通信部２４、ＨＤＤ２５は、画像編集装置１０の表示部１２、操作部１３、通信部１４、ＨＤＤ１５と同様である。
【００４０】
図２に示すように、画像形成装置３０は、制御部３１と、スキャナ部３２と、画像形成部３３と、記憶部３４と、通信部３５と、を備えて構成される。
【００４１】
スキャナ部３２は、プラテンガラス、ＣＣＤ（Charge Coupled Devices）及び光源（いずれも図示省略）を備え、ＡＤＦ（Auto Document Feeder）部（図示省略）に載置された原稿に対して光源から照明走査した光の反射光をＣＣＤにより結像して光電変換することにより原稿の画像を読み取り、その画像の画像データを生成する。
【００４２】
画像形成部３３は、画像形成の対象データを用紙に画像形成する。画像形成部３３は、電子写真方式、インクジェット方式、熱転写方式等の方式で画像形成を行う。
【００４３】
記憶部３４は、情報を一時的に記憶するＲＡＭ、情報を読み書き可能なフラッシュメモリ等で構成される。
【００４４】
通信部３５は、画像編集装置１０の通信部１４と同様である。また、画像形成装置３０にも、操作部、表示部、あるいはこの両方の機能を有するタッチパネルを備える構成としてもよい。
【００４５】
次に、図３〜図２３を参照して、電子押印システム１の動作を説明する。先ず、ユーザのログイン処理について説明する。ログイン処理とは、ユーザ認証を行う処理のことをいう。ログイン処理は、例えば、図８に示すように、ログイン画面８１が表示部１２に表示される。ログイン画面８１は、ＩＤ（ログインＩＤ）入力欄８２と、パスワード入力欄８３と、ＯＫボタン８４と、を有する。ログイン画面８１において、操作部１３を介してユーザのログインＩＤ及びパスワードがＩＤ入力欄８２及びパスワード入力欄８３に入力される。そして、操作部１３を介してＯＫボタン８４が押下されると、ＩＤ入力欄８２及びパスワード入力欄８３に入力された情報（入力情報）が認証装置４０に送信される。入力情報が認証装置４０に送信されると、認証装置４０によりユーザ認証が行われる。そして、ユーザ認証の結果が画像編集装置１０に送信される。認証装置４０によりユーザ認証された場合、そのユーザがログインされる。
【００４６】
ユーザ認証がされると、スキャン画面が表示部１２に表示される。図９にスキャン画面９１を示す。スキャン画面９１は、ファイル名変更ボタン９２と、フォーマット設定ボタン９３と、解像度設定ボタン９４と、スキャンボタン９５と、を有する。スキャン画面９１において、操作部１３を介して各種ボタン（ファイル名変更ボタン９２、フォーマット設定ボタン９３、解像度設定ボタン９４）が押下されると、各種設定が実行される。そして、スキャンボタン９５が押下される。
【００４７】
スキャンボタン９５が押下されると、画像形成装置３０により用紙のスキャンが実行され、スキャンプレビュー画面１０１が表示部１２に表示される。図１０にスキャンプレビュー画面１０１を示す。スキャンプレビュー画面１０１は、プレビュー画面１０２と、編集ボタン１０３と、を有する。スキャンプレビュー画面１０１において、操作部１３を介して編集ボタン１０３が押下されると、スキャンプレビュー画面１０２の編集が実行される。
【００４８】
例えば、いま、画像編集装置１０において、操作部１３を介して電子押印処理の実行指示（例えば、スキャンプレビュー画面１０１における編集ボタン１０３の電子署名ボタンが押下）がされたとする。この場合、操作部１３を介して電子押印処理の実行指示がされたこと等をトリガとして、制御部１１により、電子押印プログラム１５１が読み出されて起動され、電子押印処理が実行される。以下、図３〜図７を参照して電子押印処理を説明する。
【００４９】
先ず、電子文書内において、任意の領域としての長方形の領域が候補として抽出される（ステップＳ１１）。図１１に電子文書１００を示す。電子文書１００は、プレビュー画面１０２に該当する。この場合、長方形の領域が押印位置の候補１〜１６として抽出される。そして、電子文書１００内において、全ての候補位置を検査したか否かが判別される（ステップＳ１２）。
【００５０】
ステップＳ１２において、全ての候補位置を検査していないと判別された場合（ステップＳ１２；ＮＯ）、長方形の縦横幅の大きさが基準範囲内であるか否かが判別される（ステップＳ１３）。図１２及び図１３は、図１１の電子文書１００から抽出された長方形の領域の縦横幅の大きさを示した図である。図１３に示す横幅Ｗは、長方形の横幅を示している。また、縦幅ｈは、長方形の縦幅の大きさを示している。具体的には、本ステップは、横幅Ｗが基準（規定）範囲内（Ｗｍｉｎ≦Ｗ≦Ｗｍａｘ）であるか否か、及び、縦幅ｈが基準（規定）範囲内（ｈｍｉｎ≦ｈ≦ｈｍａｘ）であるか否かが判別される。
【００５１】
ステップＳ１３において、長方形の縦横幅の大きさが基準範囲内でないと判別された場合（ステップＳ１３；ＮＯ）、候補リストから削除される（ステップＳ１４）。候補リストとは、抽出された候補のことをいう。例えば、図１１〜図１３に示す候補１〜１６のことをいう。例えば、図１３に示す候補１〜１１、及び候補１６における長方形の縦横幅が基準範囲内でないと判別されたとする。この場合、候補１〜１１、及び候補１６は、候補リストから削除される。
【００５２】
ステップＳ１３において、長方形の縦横幅の大きさが基準範囲内であると判別された場合（ステップＳ１３；ＹＥＳ）、長方形の縦横幅比率が基準範囲内であるか否かが判別される（ステップＳ１５）。具体的には、本ステップは、図１３に示す長辺／短辺の縦横比率ｒが基準（規定）範囲内（ｒｍｉｎ≦ｒ≦ｒｍａｘ）であるか否かが判別される。ここで、ｒ＝Ｗ／ｈ（Ｗ≧ｈの場合）、又はｒ＝ｈ／Ｗ（ｈ＞Ｗの場合）となる。
【００５３】
ステップＳ１５において、長方形の縦横幅比率が基準範囲内であると判別された場合（ステップＳ１５；ＹＥＳ）、ステップＳ１２に移行される。ステップＳ１５において、長方形の縦横幅比率が基準範囲内でないと判別された場合（ステップＳ１５；ＮＯ）、ステップＳ１４に移行される。
【００５４】
ステップＳ１２において、全ての候補位置を検査したと判別された場合（ステップＳ１２；ＹＥＳ）、文字認識処理が行われる（ステップＳ１６）。文字認識処理とは、電子文書１００内の文字を認識する処理のことをいう。
【００５５】
ステップＳ１６の実行後、電子文書内に含まれる任意の文字としての「印」文字の検索、及び座標抽出が行われる（ステップＳ１７）。そして、電子文書１００内の全ての「印」文字を検査したか否かが判別される（ステップＳ１８）。
【００５６】
ステップＳ１８において、電子文書１００内の全ての「印」文字を検査していないと判別された場合（ステップＳ１８；ＮＯ）、「印」文字の中心から所定範囲内が空白領域であるか否かが判別される（ステップＳ１９）。図１４（Ｂ）に「印」文字の所定範囲ｒを示す。所定範囲ｒは、「印」文字の中心座標から任意の距離を示している。具体的には、本ステップは、所定範囲ｒ内が空白領域であるか否かが判別される。本ステップにより、基準範囲ｒ内が空白範囲であると判別された場合、「印」文字は、押印位置の候補として抽出される。
【００５７】
ステップＳ１９において、「印」文字の中心から所定範囲内が空白領域であると判別された場合（ステップＳ１９；ＹＥＳ）、候補リストに追加される（ステップＳ２０）。ステップＳ２０の実行後、ステップＳ１８に移行される。ステップＳ１９において、「印」文字の所定範囲内が余白領域でないと判別された場合（ステップＳ１９；ＮＯ）、ステップＳ１８に移行される。
【００５８】
ステップＳ１８において、全ての「印」文字を検査したと判別された場合（ステップＳ１８；ＹＥＳ）、ユーザの役職が登録済みであるか否かが判別される（ステップＳ２１）。すなわち、ユーザの役職がＨＤＤ１５に登録情報１５３として登録済みであるか否かが判別される。役職とは、例えば、「担当者」「課長」「部長」等の情報のことをいう。図１５（Ａ）にＨＤＤ１５に登録されている登録情報１５３の例を示す。登録情報１５３は、ユーザのログインＩＤ、パスワード、ユーザ名情報（苗字、名前）、部門情報、役職情報、予想役職情報を含む。そのほか、登録情報１５３は、後述する検索対象文字列、押印履歴、書式文字列、及び結合文字列を含む。
【００５９】
ステップＳ２１において、ユーザの役職が登録済みでないと判別された場合（ステップＳ２１；ＮＯ）、後述するステップＳ２６に移行される。ユーザの役職が登録済みであると判別された場合（ステップＳ２１；ＹＥＳ）、ユーザの役職に応じた検索対象文字列の検索、及び座標抽出が行われる（ステップＳ２２）。図１５（Ｂ）にユーザの役職に応じた検索対象文字列を示す。検索対象文字列とは、登録された役職（図１５（Ａ）の役職）、又は予測された役職（図１５（Ａ）の予想役職）に紐付けられて記憶されている文字列のことをいう。検索対象文字列は、登録情報１５３に含まれる。また、検索対象文字列は任意の文字列に該当する。次に、図１４（Ａ）を参照して、検索対象文字列の座標抽出方法について説明する。図１４（Ａ）は、検索対象文字列として、「担当者」の文字列を検索したときの図を示している。この場合、「担当者」の文字列の４隅の座標（Ｘ１、Ｙ１）〜（Ｘ４、Ｙ４）が座標として抽出される。
【００６０】
ステップＳ２２の実行後、全ての候補位置を検査したか否かが判別される（ステップＳ２３）。ステップＳ２３において、全ての候補位置を検査していないと判別された場合（ステップＳ２３；ＮＯ）、候補位置の近辺に検索対象文字列が存在するか否かが判別される（ステップＳ２４）。本ステップを図１４（Ａ）を参照して説明する。図１４（Ａ）の場合、「候補１２」の中心座標から任意の距離ｒの範囲内に文字列「担当者」が存在する。また、このとき、ステップＳ２２において抽出された座標（Ｘ１、Ｙ１）〜（Ｘ４、Ｙ４）は、距離ｒの範囲に全て含まれる。この場合、候補位置「候補１２」の近辺に検索対象文字列「担当者」が存在すると判別される。
【００６１】
ステップＳ２４において、候補位置の近辺に検索対象文字列が存在すると判別された場合（ステップＳ２４；ＹＥＳ）、検索対象文字列が近辺にある候補位置の優先順位が高く設定される（ステップＳ２５）。例えば、ユーザの役職が「課長」である場合、図１５（Ｃ）に示すように、「候補１３」の候補位置の優先順位が高く（優先順位１に）設定される。ステップＳ２５の実行後、ステップＳ２３に移行される。ステップＳ２４において、候補位置の近辺に検索対象文字列が存在しないと判別された場合（ステップＳ２４；ＮＯ）、ステップＳ２３に移行される。
【００６２】
ステップＳ２３において、全ての候補位置を検査していると判別された場合（ステップＳ２３；ＹＥＳ）、過去に押印履歴があるか否かが判別される（ステップＳ２６）。押印履歴とは、ユーザが過去に電子押印した押印位置の近辺にある文字列のことをいう。押印履歴は、例えば、役職、苗字、部署名等に該当する。押印履歴は、登録情報１５３に含まれる。また、押印履歴は任意の文字列に該当する。
【００６３】
ステップＳ２６において、過去に押印履歴があると判別された場合（ステップＳ２６；ＹＥＳ）、押印履歴の検索、及び座標が抽出される（ステップＳ２７）。ステップＳ２７の実行後、全ての候補位置を検査したか否かが判別される（ステップＳ２８）。
【００６４】
ステップＳ２８において、全ての候補位置を検査していないと判別された場合（ステップＳ２８；ＮＯ）、候補位置の近辺に押印履歴が存在するか否かが判別される（ステップＳ２９）。候補位置の近辺に押印履歴が存在すると判別された場合（ステップＳ２９；ＹＥＳ）、押印履歴が近辺にある候補位置の優先順位が高く設定される（ステップＳ３０）。ステップＳ３０の実行後、ステップＳ２８に移行される。ステップＳ２９において、候補位置の近辺に押印履歴が存在しないと判別された場合（ステップＳ２９；ＮＯ）、ステップＳ２８に移行される。
【００６５】
ステップＳ２８の実行後、文字認識が実行される（ステップＳ３１）。そして、登録されている書式文字列の検索、及び座標抽出が行われる（ステップＳ３２）。書式文字列とは、電子文書１００の書式を判断するための情報のことをいう。図１６（Ｂ）に、ＨＤＤ１５に予め登録されている書式文字列の例を示す。書式文字列は、登録情報１５３に含まれる。
【００６６】
ステップＳ３２の実行後、直前の文字列の結合が行われる（ステップＳ３３）。ここで、図１６（Ａ）を参照して直前の文字列の結合方法について説明する。例えば、書式文字列が「稟議書」で直前の文字列が「一般」である場合、「一般」の文字列が「稟議書」に結合される。すなわち、「一般稟議書」が結合文字列となる。
【００６７】
ステップＳ３３の実行後、結合文字列を全て検査したか否かが判別される（ステップＳ３４）。例えば、電子文書１００内の「一般稟議書」の文字列を全て検査したか否かが判別される。ステップＳ３４において、結合文字列を全て検査していないと判別された場合（ステップＳ３４；ＮＯ）、フォントサイズが基準範囲内であるか否かが判別される（ステップＳ３５）。例えば、「一般稟議書」のフォントサイズが基準範囲内（例えば、Ｘポイント）であるか否かが判別される。フォントサイズが基準範囲内でないと判別された場合（ステップＳ３５；ＮＯ）、後述するステップＳ３８に移行される。
【００６８】
ステップＳ３５において、結合文字列のフォントサイズが基準範囲内であると判別された場合（ステップＳ３５；ＹＥＳ）、一定以上の余白領域が存在するか否かが判別される（ステップＳ３６）。例えば、図１６（Ａ）に示すように、「一般稟議書」の文字列の前に一定以上の余白領域が存在するか否かが判別される。一定以上の余白領域が存在しないと判別された場合（ステップＳ３５；ＮＯ）、後述するステップＳ３８に移行される。
【００６９】
ステップＳ３６において、一定以上の余白領域が存在すると判別された場合（ステップＳ３６；ＹＥＳ）、結合文字列の文字列座標が基準範囲内であるか否かが判別される（ステップＳ３７）。基準範囲とは、予め定められている電子文書１００内の一定範囲のことをいう。図１６（Ｃ）に基準範囲の例を示す。例えば、本ステップは、「一般稟議書」の座標が基準範囲Ａ、又は基準範囲Ｂ内にあるか否かが判別される。
【００７０】
ステップＳ３７において、文字列座標が基準範囲内でないと判別された場合（ステップＳ３７：ＮＯ）、候補リストから削除される（ステップＳ３８）。ステップＳ３８の実行後、ステップＳ３４に移行される。ステップＳ３７において、文字列座標が基準範囲内であると判別された場合（ステップＳ３７；ＹＥＳ）、ステップＳ３４に移行される。
【００７１】
ステップＳ３４において、結合文字列の全てを検査したと判別された場合（ステップＳ３４；ＹＥＳ）、候補数が１よりも多いか否かが判別される（ステップＳ３９）。候補数とは、電子文書１００内に含まれる結合文字列（例えば、一般稟議書）の数のことをいう。候補数が１よりも多くないと判別された場合（ステップＳ３９；ＮＯ）、後述するステップＳ４４に移行される。ステップＳ３９において、候補数が１よりも多いと判別された場合（ステップＳ３９；ＹＥＳ）、スキャン文書の中心Ｘ座標（Ｘ０）が算出される（ステップＳ４０）。例えば、図１６（Ｃ）に示すように、スキャン文書（電子文書１００）の中心Ｘ座標（Ｘ０）が算出される。
【００７２】
ステップＳ４０の実行後、結合文字列の中心Ｘ座標が算出される（ステップＳ４１）。例えば、図１６（Ｃ）に示すように、基準範囲内に結合文字列が複数存在した場合、それぞれの文字列の中心Ｘ座標（Ｘ１、Ｘ２、Ｘ３）が算出される。そして、全ての結合文字列の中心Ｘ座標を算出したか否かが判別される（ステップＳ４２）。
【００７３】
ステップＳ４２において、全ての結合文字列の中心Ｘ座標を算出していないと判別された場合（ステップＳ４２；ＮＯ）、後述するステップＳ４４に移行される。ステップＳ４２において、全ての結合文字列の中心Ｘ座標を算出したと判別された場合（ステップＳ４２；ＹＥＳ）、スキャン文書（電子文書１００）の中心Ｘ座標に一番近いものが選出される（ステップＳ４３）。例えば、図１６（Ｃ）の場合、スキャン文書（電子文書１００）の中心Ｘ座標であるＸ０にはＸ２が一番近いので、中心座標がＸ２である結合文字列が選出される。
【００７４】
ステップＳ４３の実行後、選出された結合文字列が登録されているか否かが判別される（ステップＳ４４）。すなわち、選出された結合文字列が登録情報１５３としてＨＤＤ１５に登録されているか否かが判別される。選出された結合文字列が登録されていると判別された場合（ステップＳ４４；ＹＥＳ）、結合文字列登録時の押印位置を候補として抽出し、当該抽出された候補の優先順位が高く設定される（ステップＳ４５）。例えば、「一般稟議書」を登録した際、当該「一般稟議書」の電子文書１００内に電子押印がされていたとする。この場合、「一般稟議書」、及び電子押印された押印位置が登録部１１４により登録情報１５３としてＨＤＤ１５に登録される。このとき登録された押印位置は、候補として抽出される。そして、抽出された押印位置は、優先順位が高く設定される。
【００７５】
ステップＳ４４において、選出された結合文字列が登録されていないと判別された場合（ステップＳ４４；ＮＯ）、結合文字列、及び押印位置が登録される（ステップＳ４６）。すなわち、登録部１１４により結合文字列、及び押印位置が登録情報１５３としてＨＤＤ１５に登録される。
【００７６】
ステップＳ４５及びステップＳ４６の実行後、優先順位の高い順に候補が表示部１２に表示される（ステップＳ４７）。そして、ユーザにより所望の押印位置が操作部１３を介して選択され、押印位置の選択入力の受け付けが行われる（ステップＳ４８）。ステップＳ４８の実行後、受け付けられた押印位置に電子押印が実行される（ステップＳ４９）。図１７〜図２２を参照して、ステップＳ４９の動作を説明する。図１７に押印位置の選択画面１７１を示す。選択画面１７１は、候補表示ボタン１７２を有する。操作部１３を介して候補表示ボタン１７２が押下されることにより押印位置の候補が表示される。
【００７７】
候補表示ボタン１７２が押下されると、選択画面１８１が表示部１２に表示される。図１８に選択画面１８１を示す。選択画面１８１は、署名（押印）位置表示メッセージ１８２を有する。押印位置表示メッセージ１８２は、押印位置をユーザに選択させるためのメッセージである。例えば、「この位置に署名しますか？」と押印位置表示メッセージ１８２が表示される。また、押印位置表示メッセージ１８２は、「はい」ボタン１８２Ａと、「次の候補ボタン」１８２Ｂを有する。操作部１３を介して「はい」ボタン１８２Ａが押下されると、押印位置表示メッセージ１８２により表示されている位置が押印位置として決定される。また、操作部１３を介して次の候補ボタン１８２Ｂが押下されると、次に優先順位の高い候補位置が表示部１２に表示される。ここで、表示領域の関係で画像が縮小され視認性が悪い場合は、図１９に示すように拡大された選択画面１９１が表示されることとしてもよい。この場合、プレビュー領域１９２の中心に押印位置の候補が表示される。
【００７８】
押印位置が決定されると、押印情報１５２がＨＤＤ１５から読み出され、当該読み出された押印情報１５２が押印位置に電子押印される。押印位置に電子押印されると、表示部１２に印影調整画面が表示される。図２０に印影調整画面２０１を示す。印影調整画面２０１は、印影サイズ調整ボタン２０２と、印影位置調整ボタン２０３と、やりなおしボタン２０４と、ＯＫボタン２０５と、を有する。操作部１３を介して印影サイズ調整ボタン２０２、印影位置調整ボタン２０３、又はやりなおしボタン２０４が押下されることにより、電子押印された押印情報の印影サイズ、及び押印位置の調整が行われる。そして、ＯＫボタン２０５が押下されることにより、印影サイズ、及び押印位置の調整が終了する。このとき、印影サイズのデフォルト値は、押印する枠に収まる印影サイズが設定されている。また、押印位置（印影位置）のデフォルト値は、押印する枠の中心と押印情報の中心とが一致する位置が設定されている。ユーザが印影サイズ、及び印影位置の調整を行わなかった場合、デフォルト値に基づいて電子押印が行われる。例えば、「松本」２０７を押印位置２０６の枠にデフォルト値で電子押印する場合、「松本」２０７は、図２０に示す押印サイズ、及び押印位置で電子押印が行われる。
【００７９】
印影サイズ、及び押印位置の調整が終了すると、文書処理選択画面が表示部１２に表示される。図２１に文書処理選択画面２１１を示す。文書処理選択画面２１１は、文書処理選択ボタン２１２と、次へボタン２１３とを有する。操作部１３を介して、文書処理選択ボタン２１２のいずれか１つのボタンが押下されることにより文書の処理方法が選択される。そして、次へボタン２１３が押下されることにより、文書処理の選択が終了する。
【００８０】
文書処理選択画面２１１により文書処理選択ボタン２１２のＦＴＰ転送ボタン、又はＥ−ｍａｉｌ転送ボタンが押下され、次へボタン２１３が押下された場合、転送先選択画面が表示部１２に表示される。図２２に転送先選択画面２２１を示す。転送先選択画面２２１は、転送先選択ボタン２２２と、ＯＫボタン２２３とを有する。転送先選択ボタン２２２は、ユーザの直近の上位の役職者から順に表示される。操作部１３を介して転送先選択ボタン２２２のいずれか１つが選択入力されることにより転送先が選択される。そして、ＯＫボタン２２３が押下されることにより転送先の選択が終了する。
【００８１】
図７のステップＳ４９の実行後、押印位置の近辺に文字列が存在するか否かが判別される（ステップＳ５０）。図２３（Ｂ）を参照して、押印位置の近辺の文字列を判別する方法について説明する。例えば、いま、押印情報１５２が「松本」であるとする。この場合、「松本」の中心座標から距離ｒの範囲内に任意の文字列が存在するか否かが判別される。図２３（Ｂ）の場合、距離ｒの範囲内に「課長」の文字列が存在する。したがって、押印位置の近辺に文字列「課長」が存在すると判別される。
【００８２】
押印位置の近辺に文字列が存在しないと判別された場合（ステップＳ５０；ＮＯ）、後述するステップＳ５４に移行される。押印位置の近辺に文字列が存在すると判別された場合（ステップＳ５０；ＹＥＳ）、押印位置の近辺に存在する文字列が役職名であるか否かが判別される（ステップＳ５１）。具体的には、押印位置の近辺に存在する文字列が「課長」「部長」等の役職名であるか否かが判別される。
【００８３】
ステップＳ５１において、押印位置の近辺に存在する文字列が役職名でないと判別された場合（ステップＳ５１；ＮＯ）、後述するステップＳ５４に移行される。押印位置の近辺に存在する文字列が役職名であると判別された場合（ステップＳ５１；ＹＥＳ）、役職が登録済みであるか否かが判別される（ステップＳ５２）。本ステップは、具体的には、押印位置の近辺に存在する文字列が、登録情報１５３の役職としてＨＤＤ１５に登録されているか否かが判別される。
【００８４】
ステップＳ５２において、役職が登録済みであると判別された場合（ステップＳ５２；ＹＥＳ）、後述するステップＳ５４に移行される。役職が登録済みでないと判別された場合（ステップＳ５２；ＮＯ）、押印位置の近辺に存在する文字列が予想役職として登録される（ステップＳ５３）。図２３（Ａ）を参照して、押印位置の近辺に存在する文字列を予想役職として登録する方法について説明する。いま、例えば、押印位置の近辺に存在する文字列が「課長」であるとする。この場合、登録情報１５３の予想役職は「課長」としてＨＤＤ１５に登録される。ステップＳ５３の実行後、押印位置の近辺の文字列が押印履歴として登録される（ステップＳ５４）。ステップＳ５４の実行後、電子押印処理は終了する。
【００８５】
以上、本実施の形態によれば、抽出された押印位置の候補を表示して、抽出された候補のうち所望の押印位置をユーザに選択させ、ユーザにより選択された所望の押印位置に押印情報を電子押印する。これにより、手間を要することなく、ユーザが所望する押印位置へ確実に電子押印を行うことができる。
【００８６】
また、長方形の縦横幅の大きさ、又は縦横幅比率が基準範囲内である場合に長方形を押印位置の候補として抽出することができる。
【００８７】
「印」文字の中心から所定範囲内が空白である場合に「印」文字を押印位置の候補として抽出することができる。
【００８８】
また、押印位置の候補の近辺に検索対象文字列、又は押印履歴が存在する場合、当該候補の優先順位を高く設定し、優先順位が高く設定された順に候補を表示部１２に表示させる。これにより、ユーザは、優先順位の高い順に候補を参照することができるので、手間を要することなく押印位置へ電子押印を行うことができる。
【００８９】
また、押印位置の近辺の文字列が役職名であり、且つ、当該役職名がＨＤＤ１５に登録されていない場合、当該役職名を予想役職としてＨＤＤ１５に登録することができる。
【００９０】
登録部１１４により登録された結合文字列が電子文書１００内に存在する場合、登録部１１４により登録された押印位置を候補として抽出し、当該抽出した候補の優先順位を高く設定し、優先順位が高く設定された順に候補を表示部１２に表示させる。これにより、ユーザは、優先順位の高い順位に候補を参照することができるので、手間を要することなく押印位置へ電子押印を行うことができる。
【００９１】
なお、上記実施の形態における記述は、本発明に係る電子押印プログラム、画像編集装置、電子押印方法の一例であり、これに限定されるものではない。
【００９２】
例えば、上記実施の形態では、電子押印システム１として認証装置４０を含める構成としたが、認証装置４０を含めない構成としてもよい。この場合、ユーザ認証は、画像編集装置１０が行うこととなる。
【００９３】
また、電子押印処理のステップＳ１９において、「印」文字の基準範囲ｒ内が余白領域であるか否かを判別することとしたがこれに限定されるものではない。例えば、基準範囲ｒ内に任意の文字列があるか否かを判別することとしてもよい。例えば、基準範囲ｒ内に任意の文字列がないと判別された場合、「印」文字は文章に含まれる文字ではないと判別され、押印位置の候補として抽出される。
【００９４】
また、印影サイズのデフォルト値は、押印する枠に入るサイズとしたが、これに限定されるものではない。例えば、ユーザが所望するサイズ（例えば、押印する枠からはみ出るサイズ）をデフォルト値として設定することとしてもよい。
【００９５】
また、印影位置（押印位置）のデフォルト値として、押印する枠の中心と印影情報の中心とが一致する位置としたが、これに限定されるものではない。例えば、ユーザが所望する押印位置をデフォルト値として設定することとしてもよい。これにより、ユーザ毎に押印位置が異なるので、押印位置に基づいて、電子文書１００に電子押印したユーザの識別が容易となる。
【００９６】
また、例えば、図２０の電子文書１００に示すように、押印するユーザが複数（担当者、課長、部長）いる場合、後から押印するユーザの押印位置は、前に押印したユーザの印影位置に重ならない位置に押印する構成としてもよい。例えば、図２０において、「松本」の文字が枠２０８にずれて押印されていたとする。この場合、枠２０８に押印するユーザの押印位置は、「松本」の文字に重ならない位置に押印位置が設定される。そして、設定された押印位置に電子押印が行われる。これにより、押印するユーザが複数いる場合であっても、押印文字が重ならないように電子押印を行うことができる。
【００９７】
その他、上記実施の形態における電子押印システム１の細部構成及び詳細動作に関しても、本発明の趣旨を逸脱しない範囲で適宜変更可能である。
【図面の簡単な説明】
【００９８】
【図１】本発明に係る電子押印システム１の概要図である。
【図２】画像編集装置、ユーザ端末、画像形成装置の内部構成を示すブロック図である。
【図３】電子押印処理を示すフローチャートである。
【図４】電子押印処理を示すフローチャートである。
【図５】電子押印処理を示すフローチャートである。
【図６】電子押印処理を示すフローチャートである。
【図７】電子押印処理を示すフローチャートである。
【図８】ログイン処理画面を示す図である。
【図９】スキャン画面を示す図である。
【図１０】スキャンプレビュー画面を示す図である。
【図１１】電子文書を示す図である。
【図１２】抽出された長方形の領域の縦横幅を示す図である。
【図１３】抽出された長方形の領域の縦横幅を示す図である。
【図１４】（Ａ）は、検索対象文字列として「担当者」の文字列が検索されたことを示す図である。（Ｂ）は、「印」文字の基準範囲ｒを示す図である。
【図１５】（Ａ）は、登録情報の例を示す図である。（Ｂ）は、ユーザの役職に応じた検索対象文字列を示す図である。（Ｃ）は、候補位置の優先順位が高く設定されることを示す図である。
【図１６】（Ａ）は、直前の文字列の結合方法を示す図である。（Ｂ）は、書式文字列の例を示した図である。（Ｃ）は、基準範囲の例を示した図である
【図１７】押印位置の選択画面を示した図である。
【図１８】選択画面を示した図である。
【図１９】拡大された選択画面を示した図である。
【図２０】印影調整画面を示した図である。
【図２１】文書処理選択画面を示した図である。
【図２２】転送先選択画面を示した図である。
【図２３】（Ａ）は、押印位置の近辺に存在する文字列を予想役職として登録する方法を示した図である。（Ｂ）は、押印位置の近辺に存在する文字列を判別する方法を示した図である。
【符号の説明】
【００９９】
１     電子押印システム
１０   画像編集装置
１１，２１，３１     制御部
１２，２２    表示部
１３，２３    操作部
１４，２４，３５     通信部
１５，２５   ＨＤＤ
１６，２６    バス
２０   ユーザ端末
３０   画像形成装置
３２   スキャン部
３３   画像形成部
３４   記憶部
４０   認証装置
１１１ 抽出部
１１２ 選択部
１１３ 押印部
１１４ 登録部
１５１ 電子押印プログラム
１５２ 押印情報
１５３ 登録情報
【図１】
0004905297.tif 000002
【図２】
0004905297.tif 000003
【図３】
0004905297.tif 000004
【図４】
0004905297.tif 000005
【図５】
0004905297.tif 000006
【図６】
0004905297.tif 000007
【図７】
0004905297.tif 000008
【図８】
0004905297.tif 000009
【図９】
0004905297.tif 000010
【図１０】
0004905297.tif 000011
【図１１】
0004905297.tif 000012
【図１２】
0004905297.tif 000013
【図１３】
0004905297.tif 000014
【図１４】
0004905297.tif 000015
【図１５】
0004905297.tif 000016
【図１６】
0004905297.tif 000017
【図１７】
0004905297.tif 000018
【図１８】
0004905297.tif 000019
【図１９】
0004905297.tif 000020
【図２０】
0004905297.tif 000021
【図２１】
0004905297.tif 000022
【図２２】
0004905297.tif 000023
【図２３】
0004905297.tif 000024